(57)【要約】【課題】採光部が設けられている従来の扉は、部品点数が多く、かつ、構造が複雑であるため、組み立てに手間がかかっていた。また、デザイン上の制約を受ける場合があり、シンプルかつモダンな意匠イメージを得る場合は、特に難しかった。そこで、本発明は、組み立てが容易で、シンプルかつモダンな意匠イメージの扉を提供する。【解決手段】凹部が設けられたパネル部２及び３と、凸部が設けられた採光部材４と、からなる扉１であって、パネル部材２及び３の凹部に、採光部材４の凸部が嵌め合わされてなることを特徴とする扉１である。また、採光部材４が着色されていることを特徴とする。【選択図】図１
2006161349.tif 000002
【特許請求の範囲】
【請求項１】
凹部が設けられたパネル部と、凸部が設けられた採光部材と、からなる扉であって、上記パネル部材の上記凹部に上記採光部材の上記凸部が嵌め合わされてなることを特徴とする扉。
【請求項２】
請求項１に記載の扉において、前記採光部材が着色されていることを特徴とする扉。
【発明の詳細な説明】
【技術分野】
【０００１】
本発明は、採光部を有する扉であって、組み立てが容易で、シンプルかつモダンなイメージの意匠性をもつ扉に関する。
【背景技術】
【０００２】
従来、採光部が設けられている扉が多数提案されている（例えば、特許文献１）。このような採光部を有する扉は、ガラスやアクリル等からなる透光板が押さえ額縁材等により取り付けられている方式が一般的である。
【特許文献１】特開２００４−６０３７８号公報
【発明の開示】
【発明が解決しようとする課題】
【０００３】
上記の従来からの一般的な方法では、押さえ額縁材の固定にビスやピンタッカー等を用いる。そのため、部品点数が多くなり、組み立てに手間がかかるという問題がある。また、これらの部品により、構造が複雑になるので、デザイン的にも大きな制約を受ける場合がある。そのため、いわゆる「シンプル・アンド・モダン」といわれるイメージの意匠を持つ扉を得ることが難しい。
【０００４】
ゆえに、本発明が解決しようとする課題は、採光部を有する扉であって、組み立てが容易で、シンプルかつモダンなイメージの意匠性をもつ扉を提供することである。
【課題を解決するための手段】
【０００５】
上記課題解決のための請求項１に記載の発明は、凹部が設けられたパネル部と、凸部が設けられた採光部材と、からなる扉であって、詳しくは、パネル部材の凹部に採光部材の凸部が嵌め合わされてなることを特徴とする。
【０００６】
請求項２に記載の発明は、請求項１に記載の扉において、採光部材が着色されていることを特徴とする。
【発明の効果】
【０００７】
請求項１に記載の発明によれば、パネル部材及び採光部材のデザインを適切に設定することにより、シンプルかつモダンなイメージの意匠性をもつ扉が、簡単な構造により提供される。
【０００８】
また、採光部材の幅を大きくすることにより、扉の外の様子を室内から容易に見ることができるようになる。このような形態の扉は、防犯性が向上するとともに、採光部材の幅方向の厚みが増すことにより、外部からの衝撃に対する強さを向上させることができる。
【０００９】
さらには、上記とは逆に、採光部材の幅を極めて小さくすることも可能であり、この形態の扉の持つ意匠性は、従来の方式、すなわち、透光板を額縁押さえ部材等で取り付ける方式では得られないものであって、本発明にかかる扉は、従来の方式では得られなかった意匠性を簡単な構造で得ることができるものである。
【００１０】
請求項２に記載の発明によれば、採光部材の着色により、光が採光部材を透過する際に、この光に対して色彩的効果を与えることができる。よって、請求項１に記載の扉の視覚的イメージにおいて、より多彩なイメージを有する扉が提供される。
【００１１】
すなわち、採光部材の全体的を着色したり、その一部に着色を施す形態としてもよい。採光部材をこのように着色することにより、この採光部材を光が透過する際に、この光に色彩的な効果が与えられる。すなわち、採光部材が透明である場合に比べ、この形態の扉は、色彩的により鮮やかな印象を与えることができるものである。
【発明を実施するための最良の形態】
【００１２】
次に本発明の実施の形態について説明する。図１は本発明にかかる第１実施形態の扉１の斜視図である。図１を参照すると、この扉１は、パネル部材２及び３、採光部材４、接合部材５、及び、隙間接合部材６からなる。図１においては、平面部にあらわれている隙間接合部材６しか示されていないが、底面部においても平面部と同様にして隙間接合部材６があらわれているものである。すなわち、隙間接合部材６は、平面部において２箇所、底面部において２箇所あらわれているものである。なお、図１の扉１には取っ手は示していない。この扉１を実際に使用する際は、一般的に使用されている取っ手を扉１の必要な箇所に設ければよい。
【００１３】
図２は扉１の組み立て構造を示す斜視図である。図２を参照すると、この扉１は、パネル部材２及び３と２つの接合部材５とにより採光部材４が中央部に挟まれて接合されているとともに、２つの接合部材５それぞれの両側面に２つの隙間接合部材６が接合されて成るものである。
【００１４】
この組み立て構造の詳細を以下に説明する。図３はパネル部材２の長尺方向の中央部分を省略して示した斜視図である。図３を参照すると、このパネル部材２は、長尺方向に沿って凹部７が端部に設けられている。また、パネル部材３は、このパネル部材２と対称に構成されるものであって、パネル部材２と同様に端部に凹部が設けられている（図示せず）。この凹部７の内壁面は、パネル部材２及び３の表面と同色の着色を施すことが望ましい。
【００１５】
図４は採光部材４の長尺方向の中央部分を省略して示した斜視図である。図４を参照すると、この採光部材４は、両側面において長尺方向に沿って凸部８が設けられている。この凸部８の大きさは、パネル部材２及び３の凹部７の内部に嵌め合わせることのできる大きさとし、採光部材４の厚さは、凸部８の厚さ以上であればよい。
【００１６】
この採光部材４は透光性を有する材料を用いる。例えば、アクリルやポリカーボネート等による樹脂成型体を用いることができる。特に扉１を玄関用に用いる場合は、採光部材４の材料として、耐候性に優れるポリカーボネートを用いることが望ましい。また、扉１を室内用として用いる場合は、採光部材４として上記の樹脂成型体以外に、アルミニウム等の金属や非透光性の硬質プラスチック等に穴明け加工がなされた有孔成形体を用いることもできる。
【００１７】
採光部材４として樹脂成型体を用いる場合は、この採光部材４は透明でもよいし、着色してもよい。着色は採光部材４の全体に渡るものでもよいし、採光部材４の側面の一部の着色としてもよい。採光部材４の材料にあらかじめ顔料を混合しておいて成型すれば、全体に渡って着色された採光部材４が得られる。また、採光部材４を透明材料で成型し、採光部材４の側面の表面に塗料を塗布することにより着色してもよい。
【００１８】
接合部材５は柱状の形状であって、その水平方向の断面は、採光部材４の水平方向の断面における凸部８を除いた形状とほぼ同一である。さらに、隙間接合部材６も柱状の形状であって、その水平方向の断面は、パネル部材２及び３の凹部７の水平方向の断面形状とほぼ同一である。
【００１９】
図５は、パネル部材２及び３と採光部材４との接合構造を示す斜視図である。詳しくは、図２における長尺方向の中央部分を水平方向に切断した部分の構造を示したものである。図５に示す通り、扉１の組み立てにおいては、パネル部材２及び３の凹部７に採光部材４の凸部８を嵌め合わせてこれらを接合する。
【００２０】
図６は、扉１の上部の接合部材５の周辺部分の組み立て構造を示す斜視図である。なお、扉１の下部の接合部材５周辺部分の組み立て構造は、図６に示す組み立て構造と上下対象にあらわれるものであるので、以下は上部の接合構造について説明することとする。
【００２１】
扉１の接合部材５の周辺部分の接合は、図６に示す通り、接合部材５をパネル部材２及び３で挟んで接合するとともに、接合部材５とパネル部材２及び３の凹部７とによる隙間に、隙間接合部材６を挿入するものである。
【００２２】
上記のパネル部材２及び３と、採光部材４との接合は接着剤により接着する。また、パネル部材２及び３と、接合部材５との接合は、接着剤やダボによる接合とすればよい。
【００２３】
第１実施形態の扉１は、本発明にかかる扉の実施形態としては最も基本的な構造によるものであって、本発明によれば様々な形態の扉を得ることができる。
【００２４】
図７は第２実施形態の扉１０の正面図である。この扉１０は、３つのパネル部材１１、１２、及び、１３と、２つの採光部材１４と、４つの接合部材１５と、隙間接合部材（図示せず）とからなり、これらの構成部材の組み立て構造は第１実施形態の扉１と同様である。
【００２５】
よって、以上の説明からわかるように、本発明の扉によれば、構成部品が少なく、組み立てが容易であり、全体として直線を基調とする、すなわち、シンプルでモダンな印象の扉を得ることができる。
【００２６】
しかも、この扉は、パネル部材、接合部材、及び、採光部材の形状を適切に設定することにより、様々なヴァリエーションの意匠性をもつ扉が得られる。さらには、接合部材としてパネル部材の材料と異なる異種材料を用いたり、あるいは、パネル部材と異なる着色を施すことにより、さらに新たな印象となる意匠性を与えることができる。
【００２７】
なお、上記の説明においては、接合部材及び隙間接合部材はそれぞれ別個の部材としているが、例えば、図１、図２、及び、図６において、接合部材５に変えて、接合部材５及び隙間接合部材６を一体に構成した接合部材を用いてもよい。すなわち、この一体構成された接合部材は、採光部材４と同様の形状である２つの凸部を有する柱状体であって、この形態をとる場合は、この凸部をパネル部材の凹部に嵌め合わせて接合すればよい。この形態は、図５に示される接合構造が準用される。
【００２８】
また、採光部材の長尺方向の長さをパネル部材の長尺方向の長さと同じとすれば、接合部材及び隙間接合部材は不要とすることができるので、さらに容易な組み立て構造が得られるものである。
【図面の簡単な説明】
【００２９】
【図１】第１実施形態の扉の斜視図。
【図２】第１実施形態の扉の組み立て構造を示す斜視図。
【図３】パネル部材の中央部分を省略して示した斜視図。
【図４】採光部材の中央部分を省略して示した斜視図。
【図５】パネル部材と採光部材との接合構造を示す斜視図。
【図６】扉上部の接合部材周辺部分の組み立て構造を示す斜視図。
【図７】第２実施形態の扉の正面図。
【符号の説明】
【００３０】
１    扉
２    パネル部材
３    パネル部材
４    採光部材
５    接合部材
６    隙間接合部材
７    凹部
８    凸部
１０  扉
１１  パネル部材
１２  パネル部材
１３  パネル部材
１４  採光部材
１５  接合部材
【図１】
2006161349.tif 000003
【図２】
2006161349.tif 000004
【図３】
2006161349.tif 000005
【図４】
2006161349.tif 000006
【図５】
2006161349.tif 000007
【図６】
2006161349.tif 000008
【図７】
2006161349.tif 000009